(57)【要約】【課題】所定の部屋の内側と外側から容易に施錠と解錠を行うことができ、かつ、所定の部屋の内側から外側に音や湯気等を漏らさず、確実に遮断する障子施錠解錠構造を提供することを目的とする。【解決手段】所定の部屋の内側に配設した第１クレセント機構１０と、所定の部屋の外側に配設した第２クレセント機構２０と、を備える。第１クレセント機構１０は、第１内歯車部１５を形成した第１クレセント本体部１７と、第１内歯車部１５に噛合する第１歯車１４と、を有する。第２クレセント機構２０は、第２内歯車部２５を形成した第２クレセント本体部２７と、第２内歯車部２５に噛合する第２歯車２４と、を有する。第１歯車１４は、外側障子の召合せ框２に枢支された第１軸１３を介して、第２クレセント本体部２７と一体回転するよう連結され、第２歯車２４は、内側障子の召合せ框１に枢支された第２軸２３を介して、第１クレセント本体部１７と一体回転するよう連結される。【選択図】  図１
2005009088.tif 000002
【特許請求の範囲】
【請求項１】
所定の部屋の内側に配設した第１クレセント機構（１０）と、上記所定の部屋の外側に配設した第２クレセント機構（２０）と、を備えた障子施錠解錠構造であって、
上記第１クレセント機構（１０）は、第１内歯車部（１５）を形成した略半円弧状第１回転体部（１２）を有する第１クレセント本体部（１７）と、上記第１内歯車部（１５）に噛合する第１歯車（１４）と、を有し、
上記第２クレセント機構（２０）は、第２内歯車部（２５）を形成した略半円弧状第２回転体部（２２）を有する第２クレセント本体部（２７）と、上記第２内歯車部（２５）に噛合する第２歯車（２４）と、を有し、
上記第１歯車（１４）は、外側障子の召合せ框（２）に枢支された第１軸（１３）を介して、上記第２クレセント本体部（２７）と一体回転するよう一体状に連結され、一方、上記第２歯車（２４）は、内側障子の召合せ框（１）に枢支された第２軸（２３）を介して、上記第１クレセント本体部（１７）と一体回転するよう一体状に連結され、
施錠状態では、上記内側障子の召合せ框（１）と上記外側障子の召合せ框（２）とが密着状に保持されることを特徴とする障子施錠解錠構造。
【請求項２】
外側障子の召合せ框（１）の外向側面（１ａ）と、内側障子の召合せ框（２）の内向側面（２ａ）とが、相互に密着状に嵌合可能として、平面視小凹凸波形に形成された請求項１記載の障子施錠解錠構造。
【請求項３】
上記第１歯車（１４）及び上記第２歯車（２４）が傘歯車に形成され、施錠状態では、上記第１歯車（１４）が、第１内歯車部（１５）に、相互に噛み合うと同時に左右開放方向への動きを阻止するように係止し、かつ、上記第２歯車（２４）が、第２内歯車部（２５）に、相互に噛み合うと同時に左右開放方向への動きを阻止するように係止する請求項１又は２記載の障子施錠解錠構造。
【発明の詳細な説明】
【０００１】
【発明の属する技術分野】
本発明は、障子施錠解錠構造に関する。
【０００２】
【従来の技術】
従来の障子施錠解錠構造は、内側障子の召合せ框には、クレセントをクレセント受けに係止して施錠するクレセント錠が配設され、外側障子の召合せ框には、上記クレセント受けに形成された孔部に差し込み抜き取り自在な貫通ネジ部材によって上記クレセント受けを取付・取外し自在に保持する機構が配設されており、部屋の内側と外側から障子の施錠と解錠を行うことができるものがある（例えば、特許文献１参照）。
【０００３】
【特許文献１】
特開平３−６３３６７号公報
【０００４】
【発明が解決しようとする課題】
【０００５】
この従来の障子施錠解錠構造は、貫通ネジ部材を緩めてクレセント受けへの締め付けを外すと、クレセント受けは、固定保持が緩んで、召合せ框から外れ落ちて解錠できるが、再度障子を施錠するためには、組み立て直して固定しなければならず、手間がかかる。
【０００６】
そこで本発明は、所定の部屋の内側と外側から容易に施錠と解錠を行うことができ、かつ、所定の部屋の内側から外側に音や湯気等を確実に漏らさない障子施錠解錠構造を提供することを目的とする。
【０００７】
【課題を解決するための手段】
上記の目的を達成するために、本発明に係る障子施錠解錠構造は、所定の部屋の内側に配設した第１クレセント機構と、上記所定の部屋の外側に配設した第２クレセント機構と、を備えた障子施錠解錠構造であって；上記第１クレセント機構は、第１内歯車部を形成した略半円弧状第１回転体部を有する第１クレセント本体部と、上記第１内歯車部に噛合する第１歯車と、を有し；上記第２クレセント機構は、第２内歯車部を形成した略半円弧状第２回転体部を有する第２クレセント本体部と、上記第２内歯車部に噛合する第２歯車と、を有し；上記第１歯車は、外側障子の召合せ框に枢支された第１軸を介して、上記第２クレセント本体部と一体回転するよう一体状に連結され、一方、上記第２歯車は、内側障子の召合せ框に枢支された第２軸を介して、上記第１クレセント本体部と一体回転するよう一体状に連結され；施錠状態では、上記内側障子の召合せ框と上記外側障子の召合せ框とが密着状に保持される。
【０００８】
また、外側障子の召合せ框の外向側面と、内側障子の召合せ框の内向側面とが、相互に密着状に嵌合可能として、平面視小凹凸波形に形成されている。
また、上記第１歯車及び上記第２歯車が傘歯車に形成され、施錠状態では、上記第１歯車が、第１内歯車部に、相互に噛み合うと同時に左右開放方向への動きを阻止するように係止し、かつ、上記第２歯車が、第２内歯車部に、相互に噛み合うと同時に左右開放方向への動きを阻止するように係止する。
【０００９】
【発明の実施の形態】
以下、実施の形態を示す図面に基づき、本発明を詳説する。
【００１０】
防音室や風呂場等の部屋とその外側の部屋の間の壁に付設される引違い式の障子に対して、図１，図２に示したように、部屋の内側には、第１クレセント機構１０が配設され、部屋の外側には、第２クレセント機構２０が配設される。
第１クレセント機構１０は、水平軸心Ｘ１  廻りに揺動する第１クレセント本体部１７と、第１クレセント本体部１７が係止する第１歯車１４と、を有している。具体的には、第１クレセント本体部１７は、第１歯車１４と噛合する第１内歯車部１５を形成した略半円弧状の第１回転体部１２と、施錠・解錠のために把持する第１レバー部１１と、（後述する）第２軸２３に連結される側板部１８と、を有している。１５ａは、第１内歯車部１５の一端側で、施錠状態に於て第１歯車１４と噛合する。１５ｂは、第１内歯車部１５の他端側で、第１歯車１４が他端側１５ｂに噛合する位置になると、解錠状態となる。第１内歯車部１５は、第１内歯車部１５と水平軸心Ｘ１  との間隔が、一端側１５ａから他端側１５ｂにかけて次第に大きくなるように、形成されている。
【００１１】
また、第２クレセント機構２０は、水平軸心Ｘ２  廻りに揺動する第２クレセント本体部２７と、第２クレセント本体部２７が係止する第２歯車２４と、を有している。具体的には、第２クレセント本体部２７は、第２歯車２４と噛合する第２内歯車部２５を形成した略半円弧状の第２回転体部２２と、施錠・解錠のために把持する第２レバー部２１と、（後述する）第１軸１３に連結される側板部２８と、を有している。
なお、第２クレセント本体部２７は、第１クレセント本体部１７と、左右対称形状に形成されており、第２内歯車部２５は、第２内歯車部２５と水平軸心Ｘ２  との間隔が、第２内歯車部２５の一端側から他端側にかけて次第に大きくなるように、形成されている。
【００１２】
第１軸１３は、外側障子の召合せ框２に形成された孔部及び上記外側障子の召合せ框２の右側壁面に突設した枢支用補助部２ｂに形成された孔部によって、左右方向へ枢支されており、第１歯車１４は、第１軸１３を介して、第２クレセント本体部２７と水平軸心Ｘ２  廻りに一体回転するよう一体状に連結されている。一方、第２軸２３は、内側障子の召合せ框１に形成された孔部及び上記内側障子の召合せ框１の左側壁面に突設した枢支用補助部１ｂに形成された孔部によって、左右方向へ枢支されており、第２歯車２４は、第２軸２３を介して、第１クレセント本体部１７と水平軸心Ｘ１  廻りに一体回転するよう一体状に連結されている。
外側障子の召合せ框１の外向側面１ａ及び内側障子の召合せ框２の内向側面２ａの全面には、弾性変形可能な縦長帯板状シール材が貼着される。
【００１３】
図４は本発明の他の実施の形態を示しており、図１の障子施錠解錠構造との相違点は、外側障子の召合せ框１の外向側面１ａと、内側障子の召合せ框２の内向側面２ａとが、相互に密着状に嵌合可能として、平面視小凹凸波形に形成されている点である。
【００１４】
また、図５は本発明の別の実施の形態を示しており、図１の障子施錠解錠構造との相違点は、第１歯車１４及び第２歯車２４が傘歯車に形成されている点である。そして、第１内歯車部１５と側板部１８との成す折曲り角度θ１  、及び、第２内歯車部２５と側板部２８との成す折曲り角度θ２  は、鋭角に形成されており、施錠状態では、第１歯車１４が、第１内歯車部１５に、相互に噛み合うと同時に左右開放方向への動きを阻止するように係止し、かつ、第２歯車２４が、第２内歯車部２５に、相互に噛み合うと同時に左右開放方向への動きを阻止するように係止する。
【００１５】
上記の第１クレセント機構１０と第２クレセント機構２０は、施錠状態で、第１レバー部１１が上方向へ向き、かつ、第２レバー部２１が下方向へ向くように、配設される。あるいは、施錠状態で、第１レバー部１１が下方向へ向き、かつ、第２レバー部２１が上方向へ向くように配設されてもよい。
【００１６】
次に、障子施錠解錠構造の作用（機能）について説明する。図２（ａ）に示した施錠状態から、第１レバー部１１を把持して矢印４のように手前側に揺動し、図２（ｂ）に示した解錠状態とすると、第１内歯車部１５も矢印５のように回転するので、第２クレセント機構２０の第２レバー部２１も略水平状態まで揺動し、図１に示した解錠状態となる。このとき、第１軸１３と第２軸２３の間隔寸法Ｄが、施錠状態に比べて広がり、外側障子の召合せ框１の外向側面１ａと、内側障子の召合せ框２の内向側面２ａとが、離間する。
そして、障子を左右方向へ引けば、図３に示したように、第１歯車１４が第１内歯車部１５から外れると共に、第２歯車２４が第２内歯車部２５から外れ、障子を左右方向へ開くことができる。
また、施錠状態に於て、部屋の外側から、第２レバー部２１を把持して手前側に揺動すると、第２歯車２４も回転し、第１クレセント機構１０の第１レバー部１１も略水平状態まで揺動して解錠状態になる。
【００１７】
次に、障子を閉じて、第１レバー部１１を、図２（ｂ）から、図２（ａ）の施錠状態まで揺動させると、第２クレセント機構２０の第２レバー部２１も揺動して施錠状態となる。あるいは、部屋の外側から、第２レバー部２１を、施錠状態まで揺動させると、第１クレセント機構１０の第１レバー部１１も揺動し、施錠状態となる。
【００１８】
以上のような施錠解錠構造を、防音室や風呂場等の部屋とその外側の部屋の間の壁に付設される引違い式の障子に備えると、部屋の内側からでも外側からでも、容易に施錠・解錠を行え、至便である。また、部屋の外側がベランダ等で、屋外に面している場合、火災等の非常時にも容易に解錠して部屋内に入ることができる。このように、本発明の施錠解錠構造は、簡素でありながら、所定の部屋の内側・外側の両方から施錠・解錠を繰り返し行い得て、解錠の度に施錠解錠構造を組み立てなおすような手間は掛からない。
また、施錠状態では、外側障子の召合せ框１の外向側面１ａ及び内側障子の召合せ框２の内向側面２ａに貼着されたシール材が、隙間なく相互に密着するので、部屋の内側から湯気や音の外側への流出を確実に遮断でき、シール材間に摩擦力が働くので、障子が不用意に開くことや、がたつくことを阻止できる。
【００１９】
また、外側障子の召合せ框１の外向側面１ａと、内側障子の召合せ框２の内向側面２ａとを、図４のような平面視小凹凸波形に形成すれば、施錠状態で、相互に密着状に噛合し合う。また、図５のように、第１歯車１４及び第２歯車２４を傘歯車に形成すれば、施錠状態では、第１歯車１４が、第１内歯車部１５に、相互に噛み合うと同時に左右開放方向への動きを阻止するように係止し、かつ、第２歯車２４が、第２内歯車部２５に、相互に噛み合うと同時に左右開放方向への動きを阻止するように係止する。よって、施錠解錠構造を、上記の図４，図５のどちらのように形成しても、障子の左右方向へのスライドを強固に阻止できるので、障子が不用意に開くことや、がたつくことを一層確実に阻止できる。
【００２０】
また、上述の発明は設計変更自由である。即ち、第１クレセント機構１０に於て、第１歯車１４と第１軸１３との間に、相互に噛合する減速ギアを介装して、第１歯車１４に対する第１軸１３の回転比を２倍にすると共に、第２クレセント機構２０に於て、第２歯車２４と第２軸２３との間に、相互に噛合する減速ギアを介装して、第２歯車２４に対する第２軸２３の回転比を２倍にするよう構成するも、好ましい。
【００２１】
そして、解錠状態に於て、第１クレセント本体部１７の第１レバー部１１が上向きで、第２クレセント本体部２７の第２レバー部２１が下向きに配設されている状態から、第１レバー部１１を揺動させると、９０°までは第２レバー部２１は揺動せず、第１レバー部１１を９０°以上揺動させて第１内歯車部１５が第１歯車１４に噛み合うと、第１軸１３と共に第２レバー部２１が揺動し始める。そして、第１レバー部１１が  １８０°揺動して下向きになった時に、第２レバー部２１も  １８０°揺動し上向きになり、施錠状態となる。また、この逆の操作を行い、第１レバー部１１を  １８０°揺動して上向きにすると、第２レバー部２１も  １８０°揺動し下向きになり、解錠状態になる。
【００２２】
このように、一方のレバー部を  １８０°揺動させると、他方のレバー部も  １８０°揺動するので、部屋の内方・屋外の外方へレバー部が突出状とならず、好都合であり、かつ、第１回転体部１２と第１歯車１４が確実に（施錠状態で）噛み合い、他方、第２回転体部２２と第２歯車２４も確実に噛み合う。このようにして、部屋の内側及び外側から、確実に施錠・解錠を行うことができる。
【００２３】
【発明の効果】
本発明は、上述の構成により次のような著大な効果を奏する。
【００２４】
（請求項１によれば、）部屋の内側からでも外側からでも、容易に解錠を行え、至便である。また、部屋の外側がベランダ等で、屋外に面している場合、火災等の非常時に外側から容易に解錠して、部屋内に入ることができる。このように、本発明の施錠解錠構造は、簡素でありながら、所定の部屋の内側・外側の両方から、容易に施錠・解錠を繰り返し行い得る。さらに、施錠状態では、外側障子の召合せ框１の外向側面１ａと内側障子の召合せ框２の内向側面２ａとが、隙間なく相互に密着するので、部屋の内側から湯気や音の外側への流出を確実に遮断でき、また、左右方向へのスライドが阻止され、障子が不用意に開くことや、がたつくことを阻止できる。
【００２５】
（請求項２，３によれば、）簡素な構造でありながら、障子の左右方向へのスライドが強固に阻止され、障子が不用意に開くことや、がたつくことを、一層確実に阻止できる。
【図面の簡単な説明】
【図１】本発明に係る障子施錠解錠構造の実施の一形態を示す要部の一部断面平面図である。
【図２】第１クレセント機構を示す側面図である。
【図３】障子を解錠して左右方向へスライドした状態を示す要部の一部断面平面図である。
【図４】本発明に係る障子施錠解錠構造の他の実施の形態を示す要部の一部断面平面図である。
【図５】本発明に係る障子施錠解錠構造の別の実施の形態を示す要部の一部断面平面図である。
【符号の説明】
１    召合せ框
１ａ  外向側面
２    召合せ框
２ａ  内向側面
１０        第１クレセント機構
１２    第１回転体部
１３        第１軸
１４        第１歯車
１５    第１内歯車部
１７        第１クレセント本体部
２０        第２クレセント機構
２２        第２回転体部
２３        第２軸
２４        第２歯車
２５    第２内歯車部
２７    第２クレセント本体部
【図１】
2005009088.tif 000003
【図２】
2005009088.tif 000004
【図３】
2005009088.tif 000005
【図４】
2005009088.tif 000006
【図５】
2005009088.tif 000007